(57)【要約】      （修正有）【課題】ガイドフレームの強度確保と軽量化を計った釣糸ガイドの提供。【解決手段】ガイドフレーム３は、中空状のフレーム本体７と、フレーム本体７の少なくとも一部に挿入された芯材８とを備え、フレーム本体７は、ガイドリング２の全周のうち所定角度領域に当接する枠部１０と、釣竿に取り付けるための取付脚部１２と、枠部１０の周方向の両端部と取付脚部１２とを連結する支持脚部１１とを有しており、支持脚部１１の少なくとも一部に芯材８が挿入されており、支持脚部１１は、湾曲部を有しており、芯材８は、支持脚部１１の湾曲部に挿入されており、芯材８は、芯材８とフレーム本体７の内周面との間の接触により、フレーム本体７の所定位置に保持されている。【選択図】図１
2020174596.tif 000002
【特許請求の範囲】
【請求項１】
釣糸を案内するためのガイドリングを保持するためのガイドフレームであって、
前記ガイドフレームは、中空状のフレーム本体と、前記フレーム本体の少なくとも一部に挿入された芯材とを備え、
前記フレーム本体は、前記ガイドリングの全周のうち所定角度領域に当接する枠部と、釣竿に取り付けるための取付脚部と、前記枠部の周方向の両端部と前記取付脚部とを連結する支持脚部とを有している、釣糸ガイドのガイドフレーム。
【請求項２】
前記支持脚部の少なくとも一部に、前記芯材が挿入されている請求項１記載の釣糸ガイドのガイドフレーム。
【請求項３】
前記支持脚部は、湾曲部を有しており、前記芯材は、前記支持脚部の前記湾曲部に挿入されている請求項１又は２記載の釣糸ガイドのガイドフレーム。
【請求項４】
前記芯材は、前記芯材と前記フレーム本体の内周面との間の接触により、前記フレーム本体の所定位置に保持されている請求項１乃至３の何れかに記載の釣糸ガイドのガイドフレーム。
【請求項５】
前記フレーム本体は、前記芯材が挿入された有芯部と、前記芯材が挿入されていない空芯部とを有している請求項１乃至４の何れかに記載の釣糸ガイドのガイドフレーム。
【請求項６】
前記枠部は、前記空芯部である請求項５記載の釣糸ガイドのガイドフレーム。
【請求項７】
前記支持脚部のうち前記枠部側の部分は、前記空芯部である請求項６記載の釣糸ガイドのガイドフレーム。
【請求項８】
前記フレーム本体は、前記支持脚部のうち前記取付脚部に近い部分に前記有芯部を有している請求項７記載の釣糸ガイドのガイドフレーム。
【請求項９】
前記取付脚部は、前記空芯部である請求項８記載の釣糸ガイドのガイドフレーム。
【請求項１０】
前記取付脚部は、扁平状に押し潰されている請求項９記載の釣糸ガイドのガイドフレーム。
【請求項１１】
前記フレーム本体の材質と前記芯材の材質は、互いに異なっている請求項１乃至１０の何れかに記載の釣糸ガイドのガイドフレーム。
【請求項１２】
釣糸を案内するためのガイドリングと、
前記ガイドリングを保持する請求項１乃至１１の何れかに記載のガイドフレームと、を備えている釣糸ガイド。
【請求項１３】
請求項１２記載の釣糸ガイドを備えている釣竿。
【発明の詳細な説明】
【技術分野】
【０００１】
本発明は、釣糸を案内するための釣糸ガイドのガイドフレームと、釣糸ガイドと、釣糸ガイドを備えた釣竿に関する。
【背景技術】
【０００２】
釣糸を案内するための釣糸ガイドは、例えば下記特許文献１所載のように、金属板を打ち抜くことによって形成されたガイドフレームと、該ガイドフレームの孔に取り付けられて釣糸を案内するガイドリングとを備えたものが一般的である。しかしながら、ガイドフレームが金属板を打ち抜いて形成されたものであるため、強度を確保しつつ軽量化を図ることには限界がある。
【先行技術文献】
【特許文献】
【０００３】
【特許文献１】特開２００１−２３８５７７号公報
【発明の概要】
【発明が解決しようとする課題】
【０００４】
本発明は、ガイドフレームの強度確保と軽量化を課題とする。
【課題を解決するための手段】
【０００５】
本発明に係る釣糸ガイドのガイドフレームは、ガイドリングを保持する。ガイドリングは、釣糸を案内する。ガイドフレームは、フレーム本体と、芯材とを備えている。フレーム本体は、中空状である。芯材は、フレーム本体の少なくとも一部に挿入されている。フレーム本体は、枠部と、取付脚部と、支持脚部とを有している。枠部は、ガイドリングの全周のうち所定角度領域に当接する。取付脚部は、釣竿に取り付けられる。支持脚部は、枠部の周方向の両端部と取付脚部とを連結する。
【０００６】
この構成によれば、ガイドフレームが中空状のフレーム本体と芯材とを備えているので、ガイドフレームを軽量化でき、ガイドフレームの強度を確保できる。
【０００７】
好ましくは、支持脚部の少なくとも一部に芯材が挿入されている。
【０００８】
好ましくは、支持脚部は、湾曲部を有している。芯材は、支持脚部の湾曲部に挿入されている。
【０００９】
好ましくは、芯材は、芯材とフレーム本体の内周面との間の接触により、フレーム本体の所定位置に保持されている。
【００１０】
好ましくは、フレーム本体は、有芯部と、空芯部とを有している。有芯部は、フレーム本体に芯材が挿入された部分である。空芯部は、フレーム本体に芯材が挿入されていない部分である。
【００１１】
好ましくは、枠部は、空芯部である。
【００１２】
好ましくは、支持脚部のうち枠部側の部分は、空芯部である。
【００１３】
好ましくは、フレーム本体は、支持脚部のうち取付脚部に近い部分に有芯部を有している。
【００１４】
好ましくは、取付脚部は、空芯部である。
【００１５】
好ましくは、取付脚部は、扁平状に押し潰されている。
【００１６】
好ましくは、フレーム本体の材質と芯材の材質は、互いに異なっている。
【００１７】
また、本発明に係る釣竿は、ガイドリングと、上述したガイドフレームとを備えている。ガイドリングは、釣糸を案内する。
【００１８】
また、本発明に係る釣竿は、このような釣糸ガイドを備えている。
【発明の効果】
【００１９】
以上のように、ガイドフレームを軽量化でき、ガイドフレームの強度を確保できる。
【図面の簡単な説明】
【００２０】
【図１】本発明の一実施形態における釣糸ガイドを後側から見た斜視図。
【図２】同釣糸ガイドを前側から見た斜視図。
【図３】同釣糸ガイドを前側から見た正面図。
【図４】同釣糸ガイドを後側から見た背面図。
【図５】同釣糸ガイドを上側から見た平面図。
【図６】同釣糸ガイドを下側から見た底面図。
【図７】同釣糸ガイドを側方から見た側面図。
【図８】図３のＡ−Ａ断面図。
【図９】図３のＢ−Ｂ断面図。
【図１０】（ａ）は図７のＣ−Ｃ端面図、（ｂ）は図７のＤ−Ｄ端面図。
【図１１】同釣糸ガイドを釣竿に取り付けた状態を示す図９に対応した一部破断線を含む断面図。
【発明を実施するための形態】
【００２１】
以下、本発明の一実施形態に係る釣糸ガイド１について図１〜図１１を参酌しつつ説明する。本実施形態における釣糸ガイド１は、釣糸を直接案内するためのガイドリング２と、該ガイドリング２を保持すると共に釣竿の竿体５に取り付けられるガイドフレーム３と、ガイドリング２の外周面に係合するスペーサ４とを備えている。
【００２２】
図１１のように、釣糸ガイド１は、釣竿の竿体５の外周面に固定される。釣糸ガイド１は固定ガイドである。釣糸ガイド１は、図示しないリールシートを備えた種々の釣竿に取り付けられて使用される。
【００２３】
尚、以下の説明において、釣竿の中心線５１の方向を前後方向とし、竿先側を前側、竿元側を後側とする。また、釣竿の径方向を上下方向とし、釣竿の外周面から径方向に離れる方向を上側とし、それとは逆の方向であって釣竿の外周面に接近する方向を下側とする。上下方向は、ガイドリング２の中心線５０と竿体５の中心線５１を通る平面上において、前後方向と直交する方向である。前後方向と上下方向とに直交する方向を左右方向とする。左右方向は、釣竿の外周面を径方向外側から見た場合において前後方向と直交する方向であり、釣竿の外周面の周方向である。図中、左右方向を矢印Ｘで示す。前後方向を矢印Ｙ１、Ｙ２で示し、前側を矢印Ｙ１で示し、後側を矢印Ｙ２で示す。上下方向を矢印Ｚ１、Ｚ２で示し、上側を矢印Ｚ１で示し、下側を矢印Ｚ２で示す。
【００２４】
尚、図１１では、釣糸ガイド１が竿体５の上側に位置する状態を図示している。但し、実際の使用状態において、釣糸ガイド１は竿体５に対して上側に位置していてもよいし下側に位置していてもよい。釣糸ガイド１の位置や向きは任意である。例えば、図示しないスピニングリールを使用する場合、通常、スピニングリールは竿体５の下側に位置する。その場合、釣糸ガイド１は竿体５の下側に位置する。図示しない両軸受リールを使用する場合、通常、両軸受リールは竿体５の上側に位置する。その場合、釣糸ガイド１は竿体５の上側に位置する。このように、釣糸ガイド１は、竿体５に対してリールと同じ方向に位置する。
【００２５】
＜ガイドリング２＞
ガイドリング２は、例えば円形の環状であるが、楕円形や長円形等であってもよい。本実施形態においてはガイドリング２が円形の場合について説明する。本実施形態において、ガイドリング２の中心線５０は、竿体５の中心線５１と平行である。但し、ガイドリング２の中心線５０が竿体５の中心線５１と平行でなくてもよい。ガイドリング２が前側に傾倒していてもよい。ガイドリング２は耐摩耗性に優れた、種々の硬質材料からなる。ガイドリング２は、本実施形態ではチタンからなる。チタンとしてはチタン合金が好ましい。ガイドリング２は、例えばＳｉＣ（シリコンカーバイト）に代表されるセラミックであってもよい。
【００２６】
ガイドリング２は曲げ加工された薄肉の金属板からなる。金属板の表裏両面がそれぞれガイドリング２の外周面と内周面になっている。ガイドリング２は、例えばドーナツ状に打ち抜かれた金属板を所定形状にプレス加工することにより形成される。ドーナツ状に打ち抜かれた金属板をプレス加工することにより金属板を筒状に変形させて、ガイドリング２を形成する。ガイドリング２の肉厚は、後述するガイドフレーム３のフレーム本体７の肉厚と略同じかあるいはそれよりも薄いことが好ましい。
【００２７】
ガイドリング２は、釣糸が挿通する糸挿通孔を有している。ガイドリング２の内周面を釣糸が摺動する。ガイドリング２は、釣糸を直接案内する。図８に示しているように、ガイドリング２の内周面は、断面視において、内側凸（中心側凸）となるように前後方向に湾曲した曲面である。また、ガイドリング２の外周面も断面視において内側凸（中心側凸）となるように前後方向に湾曲した曲面である。即ち、ガイドリング２は、ガイドリング２の中心線５０の方向に切断した断面視において、中心側凸となるように弧状に湾曲した凸状の内周面と、中心側凸となるように弧状に湾曲した凹状の外周面とを有している。ガイドリング２の内周面と外周面は互いに対応した形状となっている。ガイドリング２の外周面には、凹状の周溝が全周に亘って形成されている。周溝には後述するガイドフレーム３のフレーム本体７の枠部１０とスペーサ４が係合する。ガイドリング２の後端部は前端部よりも大径である。
【００２８】
＜ガイドフレーム３＞
ガイドフレーム３は、フレーム本体７と、芯材８とを備えている。フレーム本体７は、中空状である。芯材８は、フレーム本体７の少なくとも一部に挿入されている。芯材８は、フレーム本体７の全長に亘って挿入されていてもよいし、フレーム本体７の全長のうち一部のみに挿入されていてもよい。フレーム本体７は、枠部１０と支持脚部１１と取付脚部１２を有している。枠部１０は、ガイドリング２の全周のうち所定角度領域に当接する。取付脚部１２は、釣竿に取り付けられる。支持脚部１１は、枠部１０の周方向の両端部と取付脚部１２とを連結する。
【００２９】
フレーム本体７は、その全体が中空状である。フレーム本体７は、一本の中空状の金属線材から構成されている。具体的には、フレーム本体７は一本の金属線材をガイドリング２の外径に合わせてＵ字状に曲げ加工することにより形成されている。金属線材は、例えばチタン合金やステンレス、アルミニウム合金からなる。その中でも特に軽量化の観点からはチタン合金が好ましい。金属線材は、円形の断面形状を有している。金属線材の外径は例えば０．３〜６ｍｍ、好ましくは１〜３ｍｍである。金属線材の両端部は取付脚部１２の後端部に位置する。金属線材の両端部は後側を向いて揃えられている。支持脚部１１と取付脚部１２は、何れも金属線材が左右に二本並んだ構成である。フレーム本体７は、左右対称形状である。
【００３０】
＜枠部１０＞
枠部１０は、フレーム本体７のうちガイドリング２を保持するための部分である。枠部１０は、支持脚部１１の上側に位置する。枠部１０は、所定の中心角を有する円弧状に形成されている。枠部１０は、下側に開口したＣ字状に形成されている。枠部１０は、枠部１０のサイズ及び形状は、ガイドリング２に対応している。枠部１０は、ガイドリング２の全周のうち上側の所定角度範囲のみに当接する。枠部１０の中心角は１８０度を越える角度であることが好ましい。枠部１０において金属線材は押し潰されていない。枠部１０において金属線材は断面円形状を維持している。枠部１０は湾曲部である。
【００３１】
＜支持脚部１１＞
支持脚部１１は、枠部１０と取付脚部１２とを連結している。支持脚部１１は、湾曲部を有していることが好ましい。支持脚部１１は、左右一対設けられている。左右一対の支持脚部１１は、互いに左右対称形状である。一対の支持脚部１１は、枠部１０の周方向の両端部と取付脚部１２とを連結している。一対の支持脚部１１の正面視あるいは背面視における形状について説明する。正面視は、図３のようにガイドフレーム３を前側から見たときの状態である。背面視は、図４のようにガイドフレーム３を後側から見たときの状態である。一対の支持脚部１１は、正面視あるいは背面視において全体としてＶ字状である。一対の支持脚部１１同士の間の左右方向の離間距離は、取付脚部１２から枠部１０に向けて徐々に大きくなっている。一対の支持脚部１１は、正面視あるいは背面視において、取付脚部１２から枠部１０に向けて、左右方向に湾曲することなく直線状に延びている。一対の支持脚部１１は、根元部分においては、若干の隙間を介して互いに接近した状態、あるいは、互いに当接した状態にある。
【００３２】
次に、図７のように、支持脚部１１を左右方向から見た側面視における形状について説明する。支持脚部１１は、枠部１０と連続する第一脚部２１と、第一脚部２１と連続する第二脚部２２と、第二脚部２２と連続する第三脚部２３と、第三脚部２３と取付脚部１２とを連結する第四脚部２４とを有している。第一脚部２１は、枠部１０の周方向の端部から下側に向けて延びている。第一脚部２１は、前後方向に湾曲していない。第一脚部２１は、枠部１０と同一平面上に位置する。第一脚部２１は、ガイドリング２の中心線５０に対して直交する平面上に位置している。
【００３３】
第二脚部２２は、第一脚部２１と第三脚部２３とを連結している。第二脚部２２は、支持脚部１１の全長のうち大部分を占める。第二脚部２２は、前後方向に湾曲している。第二脚部２２は、湾曲部である。第二脚部２２の枠部１０側の端部は上側を向いている。第二脚部２２の取付脚部１２側の端部は後側を向いている。第三脚部２３は、第二脚部２２と第四脚部２４とを連結している。第三脚部２３は、前後方向に湾曲していない。第三脚部２３は、取付脚部１２と平行である。第三脚部２３は枠部１０に対して直交している。第三脚部２３は、取付脚部１２よりも上側に位置する。第三脚部２３は、ガイドリング２の中心線５０と平行である。第一脚部２１から第三脚部２３までの範囲において金属線材は押し潰されていない。第一脚部２１から第三脚部２３までの範囲において金属線材は断面円形を維持している。
【００３４】
第四脚部２４は、第三脚部２３と取付脚部１２とを連結している。第四脚部２４は、支持脚部１１と取付脚部１２との間の境界部である。第四脚部２４の上下方向の厚さは、取付脚部１２側に向けて徐々に薄くなっている。第四脚部２４の上面は、取付脚部１２側に向けて徐々に下降している。第四脚部２４の上面は、取付脚部１２側に向けて徐々に下降した傾斜面である。第四脚部２４における金属線材は、取付脚部１２側に向けて徐々に上下方向に押し潰されている。第四脚部２４における金属線材の断面形状は、取付脚部１２側に向けて徐々に左右方向に長い扁平形状となっている。
【００３５】
＜取付脚部１２＞
取付脚部１２は、支持脚部１１の端部から後側に延びている。取付脚部１２は、前後方向に沿って一直線上に延びている。取付脚部１２は、ガイドリング２の中心線５０と平行である。取付脚部１２において、金属線材の両端部同士は左右に並んでいる。金属線材の両端部は後側を向いている。金属線材の両端部同士は互いに接合されている。接合方法は任意である。接合方法は、好ましくは溶接である。
【００３６】
取付脚部１２は、扁平状に押し潰されていることが好ましい。取付脚部１２は、上下方向の寸法よりも左右方向の寸法が長い扁平形状である。取付脚部１２において金属線材は上下方向に押し潰されている。取付脚部１２の断面形状は円形ではなく上下方向に押し潰された扁平形状である。取付脚部１２の下面は、上側が凸となるように左右方向に沿って湾曲した凹状の湾曲面である。取付脚部１２の下面の湾曲形状は、釣竿の外周面の周方向の曲面形状に対応していることが好ましい。取付脚部１２の上面は、取付脚部１２の下面に対応した形状である。取付脚部１２の上面は、上側が凸となるように左右方向に沿って湾曲した凸状の湾曲面である。取付脚部１２の上面は、支持脚部１１の第三脚部２３の上面よりも低い。取付脚部１２は、図１１のように巻糸６によって釣竿の竿体５の外周面に巻き付けられる。
【００３７】
＜芯材８＞
フレーム本体７の内側に芯材８が挿入されている。フレーム本体７には、芯材８が左右一対挿入されている。芯材８は合計二本である。一対の芯材８は左右対称に配置されている。一対の芯材８は互いに同じ長さである。本実施形態におあいて、芯材８は、フレーム本体７の全体のうち一部のみに挿入されている。芯材８は、金属線材の全長のうちの一部のみに挿入されている。芯材８は、支持脚部１１の少なくとも一部に挿入されていることが好ましい。芯材８は、支持脚部１１の第二脚部２２に挿入されていることが好ましい。
【００３８】
芯材８は好ましくは金属製である。芯材８は好ましくはチタン製である。芯材８の材質は、フレーム本体７の材質と異なっていてもよい。芯材８の材質は、フレーム本体７の材質と同じであってもよい。芯材８の断面は円形である。芯材８の直径は、フレーム本体７の内径に対応している。芯材８の外周面は、フレーム本体７の内周面に接触している。芯材８は、芯材８とフレーム本体７の内周面との間の接触により、フレーム本体７の所定位置に保持されていることが好ましい。
【００３９】
フレーム本体７は、有芯部３０と、空芯部３１とを有している。有芯部３０は、フレーム本体７に芯材８が挿入された部分である。空芯部３１は、フレーム本体７に芯材８が挿入されていない部分である。有芯部３０は、中実状である。空芯部３１は、中空状である。
【００４０】
枠部１０は、空芯部３１であることが好ましい。支持脚部１１は、空芯部３１と有芯部３０とに区分されることが好ましい。支持脚部１１のうち枠部１０側の部分は、空芯部３１であることが好ましい。有芯部３０は、支持脚部１１のうち取付脚部１２に近い部分に設けられていることが好ましい。有芯部３０は、支持脚部１１のうち第二脚部２２に設けられていることが好ましい。有芯部３０は、支持脚部１１の第二脚部２２の一部のみに設けられていることが好ましい。フレーム本体７のうち一対の芯材８同士の区間は、空芯部３１であることが好ましい。芯材８は、フレーム本体７の全長のうちの中途部に挿入されていることが好ましい。芯材８とフレーム本体７の端部との間の区間は空芯部３１であることが好ましい。
【００４１】
詳細には、支持脚部１１のうち取付脚部１２側の部分は有芯部３０である。支持脚部１１の上側半分以上の部分は空芯部３１である。第一脚部２１は空芯部３１である。第二脚部２２は空芯部３１と有芯部３０とに区分される。第二脚部２２のうち枠部１０側の部分は空芯部３１である。第二脚部２２のうち取付脚部１２側の部分は有芯部３０である。第二脚部２２のうち上側半分以上の部分は空芯部３１である。第二脚部２２の大部分は空芯部３１である。第二脚部２２のうち第三脚部２３に近い部分は有芯部３０である。第三脚部２３は有芯部３０である。第三脚部２３の第四脚部２４に近い部分に、空芯部３１を有していてもよい。支持脚部１１の第四脚部２４は空芯部３１である。取付脚部１２は、空芯部３１である。
【００４２】
芯材８は、支持脚部１１の湾曲形状に対応して湾曲している。芯材８の後端部は後側を向いている。芯材８の前端部は斜め上方を向いている。芯材８は、支持脚部１１の湾曲した部分に位置している。芯材８は、支持脚部１１の第二脚部２２に位置している。そのため、芯材８は、支持脚部１１の第二脚部２２の湾曲形状に対応して湾曲している。芯材８は、フレーム本体７の内周面との間の摩擦抵抗により、フレーム本体７の所定位置に保持されている。
【００４３】
ガイドフレーム３の製法の概略を説明する。まず、一本の金属線材からフレーム本体７を形成する。一本の金属線材をＵ字状に曲げ加工すると共に前後方向に湾曲させる。金属線材の両端部近傍の領域を左右に揃えて並べる。次に、金属線材の両端部の開口部から一対の芯材８をフレーム本体７に挿入する。芯材８をフレーム本体７に挿入していくと、芯材８はフレーム本体７の内周面に摺動する。芯材８はフレーム本体７の湾曲形状に沿って湾曲しながら枠部１０側へと進む。芯材８とフレーム本体７の内周面との間の摩擦抵抗は、芯材８がフレーム本体７の内側に挿入されるにつれて徐々に増加する。摩擦抵抗が所定値まで増加したところで、芯材８の挿入作業が終了する。芯材８は、フレーム本体７の内周面との間の摩擦抵抗によって所定位置に留まる。その後、フレーム本体７の両端部近傍を上下方向に押し潰す。そして、フレーム本体７の両端部近傍の領域同士を溶接する。
【００４４】
＜スペーサ４＞
釣糸ガイド１は、スペーサ４を備えている。スペーサ４は、ガイドリング２の外周面の周溝を埋める。フレーム本体７の枠部１０は下方に開口したＣ字状である。枠部１０は、ガイドリング２の外周面の全周のうち上側の所定角度領域のみに当接している。フレーム本体７は、ガイドリング２の外周面のうち下側の所定角度領域には当接していない。ガイドリング２の外周面のうち下側の所定角度領域は、フレーム本体７によって支持されていない。ガイドリング２の外周面のうち下側の所定角度領域に、スペーサ４が設けられている。
【００４５】
スペーサ４は、ガイドリング２の外周面の周溝に係合している。スペーサ４は、円弧状の棒状体である。スペーサ４は、ガイドリング２の外周面のうち下側の所定角度領域に対応した長さを有している。スペーサ４は、ガイドリング２の外周面のうち下側の所定角度領域に対応した中心角を有している。スペーサ４はガイドリング２に接着されている。スペーサ４はガイドリング２に対して径方向外側に僅かにはみ出している。スペーサ４の断面形状は、半円状である。スペーサ４の周方向の両端部は、ガイドフレーム３のフレーム本体７に接近している。スペーサ４の周方向の両端部は、フレーム本体７には当接していない。スペーサ４の周方向の両端部とフレーム本体７との間には僅かな隙間が存在している。スペーサ４の材質は、比重の小さいものが好ましい。スペーサ４は、例えば硬質樹脂製や繊維強化樹脂製とすることができる。スペーサ４は、射出成形により形成できる。スペーサ４が繊維強化樹脂製である場合、繊維強化樹脂の強化繊維はカーボン繊維であることが好ましい。スペーサ４は金属製であってもよい。尚、ガイドリング２がガイドフレーム３に装着される前に、ガイドリング２にスペーサ４が装着されることが好ましい。ガイドリング２がガイドフレーム３に装着された後に、ガイドリング２にスペーサ４が装着されてもよい。
【００４６】
本実施形態の釣糸ガイド１のガイドフレーム３は、中空状のフレーム本体７と芯材８とを備えている。そのため、ガイドフレーム３を軽量化しつつ強度を確保することができる。フレーム本体７は、一本の中空状の金属線材から構成されている。そのため、ガイドフレーム３を軽量化することができる。支持脚部１１に芯材８が挿入されていると、支持脚部１１の強度を向上させることができる。支持脚部１１の第二脚部２２に芯材８が挿入されていると、第二脚部２２を補強できる。芯材８が支持脚部１１の第二脚部２２に位置していて湾曲していると、芯材８が安定する。芯材８がフレーム本体７の内周面との間の摩擦抵抗により、フレーム本体７の第二脚部２２に保持されていると、芯材８が安定する。特に、芯材８が枠部１０側に移動しないため、好ましい。
【００４７】
フレーム本体７が有芯部３０と空芯部３１とを有していると、ガイドフレーム３を軽量化しつつ強度を確保できる。特に、枠部１０が空芯部３１であると、ガイドフレーム３を軽量化できる。支持脚部１１のうち枠部１０側の部分が空芯部３１であると、ガイドフレーム３を軽量化できる。支持脚部１１の上側半分以上の部分が空芯部３１であると、ガイドフレーム３を軽量化できる。取付脚部１２が空芯部３１であると、ガイドフレーム３を軽量化できる。
【００４８】
フレーム本体７が支持脚部１１のうちの取付脚部１２に近い部分に有芯部３０を有していると、支持脚部１１を効果的に補強できる。また、支持脚部１１の取付脚部１２に近い根元部分の強度を向上させることができる。そして、フレーム本体７の金属線材を細いものとすることで、曲げ加工が容易になり、ガイドリング２を小径化することができる。細い金属線材を使用しても、強度が必要な箇所は芯材８で効果的に補強できる。
【００４９】
取付脚部１２の全体が上下方向に押し潰されているので、釣竿に安定して取り付けることができる。取付脚部１２が空芯部３１であるので、取付脚部１２を容易に押し潰して扁平状にすることができる。
【符号の説明】
【００５０】
１    釣糸ガイド
２    ガイドリング
３    ガイドフレーム
４    スペーサ
５    竿体
６    巻糸
７    フレーム本体
８    芯材
１０    枠部（湾曲部）
１１    支持脚部
１２    取付脚部
２１    第一脚部
２２    第二脚部（湾曲部）
２３    第三脚部
２４    第四脚部
３０    有芯部
３１    空芯部
５０    ガイドリングの中心線
５１    竿体の中心線
【図１】
2020174596.tif 000003
【図２】
2020174596.tif 000004
【図３】
2020174596.tif 000005
【図４】
2020174596.tif 000006
【図５】
2020174596.tif 000007
【図６】
2020174596.tif 000008
【図７】
2020174596.tif 000009
【図８】
2020174596.tif 000010
【図９】
2020174596.tif 000011
【図１０】
2020174596.tif 000012
【図１１】
2020174596.tif 000013